(57)【特許請求の範囲】
【請求項１】
上部表面及び下部表面をもち、少なくとも１個の貫通穴を備える支持プレートと、
少なくとも１個の貫通穴を備え、上部表面及び下部表面をもつ計量プレートとを有し、
計量プレートの下部表面を支持プレートの上部表面に載せ、計量プレート又は支持プレートの何れか一方を移動させることにより支持プレートと計量プレートとが相互に位置関係を変え得る構成を有し、かつ
支持プレートの各貫通穴に対し、支持プレートの穴の壁面に正確に適合させて端部で外側壁面を連結し、支持プレートから突出する可撓性の内部中空チューブと、
支持プレートの各貫通穴に対し、計量プレート及び支持プレートそれぞれの貫通穴を通過すると共に内部中空チューブを通過する可撓性のダイと、
計量プレートの上部表面と平行に動作するワイパ装置とを有し、
該装置により計量プレートの上部表面に供給した粘性媒体を計量プレートの貫通穴に導入自在として成ることを特徴とする、支持表面に対して正確に計量した分量の粘性媒体を塗布する装置。
【請求項２】
計量プレートの上方に案内プレートを設け、該案内プレートは各ダイに対しダイを案内するための貫通穴を備える請求項１に記載の支持表面に対して正確に計量した分量の粘性媒体を塗布する装置。
【請求項３】
案内プレートの貫通穴にスリーブを固着し、該スリーブの内部直径は計量プレートの穴の直径と一致し、スリーブの端部は計量プレートの上部表面と正確に一致して位置する請求項２に記載した支持表面に対して正確に計量した分量の粘性媒体を塗布する装置。
【請求項４】
計量プレート及び支持プレートそれぞれの上部表面と下部表面とに対して垂直に移動自在な上部プレートにダイを取付けて成る請求項１〜３の何れか一項に記載した支持表面に対して正確に計量した分量の粘性媒体を塗布する装置。
【請求項５】
上部プレート、案内プレート、計量プレート及び支持プレートが組立てユニットを形成し、該ユニットは案内フレームの案内によりプレートの上部表面及び下部表面に対し垂直に移動自在である請求項１〜４の何れか一項に記載した支持表面に対して正確に計量した分量の粘性媒体を塗布する装置。
【請求項６】
請求項１〜５の何れか一項に記載した支持表面に対して正確に計量した分量の粘性媒体を塗布する装置を使用する方法において、最初に支持プレートと計量プレートとを互いにシフトさせて支持プレートの貫通穴と計量プレートの貫通穴とを互いにずらし、この状態でワイパ装置により粘性媒体を計量プレートの貫通穴に導入し、この状態で計量プレートと支持プレートとを互いにシフトさせて粘性媒体を満たした計量プレートの貫通穴を支持プレートの貫通穴に上方で正確に合致させ、この状態でダイを計量プレートの貫通穴及び支持プレートの貫通穴すなわちチューブに挿入し、ダイにより粘性媒体をチューブから支持表面に押し付けることを特徴とする、支持表面に対して正確に計量した分量の粘性媒体を塗布する方法。
【請求項７】
計量プレート及び支持プレートそれぞれの貫通穴に、そしてチューブにダイを挿入するとき、案内プレートの貫通穴によりダイを案内する請求項６に記載した方法。
【請求項８】
ダイの挿入前に組立てユニットを下降させ、各チューブの端部を関連支持表面の上方に位置させ、この状態で計量プレート及び支持プレートそれぞれの貫通穴に、そしてチューブにその端部までダイを挿入し、支持表面に粘性媒体を押し付け、その後端部に位置するダイと一緒に組立てユニットを上昇させる請求項６又は７に記載した方法。
【請求項９】
コンポーネントを固着するためプリント回路ボードに正確に計量した分量の粘着ペーストを塗布する請求項１〜８の何れか一項に記載した支持表面に対して正確に計量した分量の粘性媒体を塗布する装置の使用方法。
【請求項１０】
プリント回路ボードに正確に計量した分量のはんだペーストを塗布する請求項１〜８の何れか一項に記載した支持表面に対して正確に計量した分量の粘性媒体を塗布する装置の使用方法。
【請求項１１】
磁気テープカセットの潤滑箇所に潤滑剤を塗布する請求項１〜８の何れか一項に記載した支持表面に対して正確に計量した分量の粘性媒体を塗布する装置の使用方法。
【発明の詳細な説明】
【０００１】
【発明の属する技術分野】
この発明は支持表面に対して正確に計量した（dosed/ドースト）分量の粘性媒体を塗布する装置に関する。
【０００２】
【従来の技術】
このような装置は特開平２−３０１１８４号公報により既知である。その装置は貫通穴を有する水平配列の計量（dosing/ドージング）プレートを備え、貫通穴には正確に整合する形状を有して垂直方向に移動自在なダイが存在する。
【０００３】
最初にダイはダイの上部表面と計量プレートの上部表面との間に中空空間を形成する中央位置にある。計量する粘性媒体は穴の横で計量プレートの上部表面に存在する。この粘性媒体をワイパによりダイの上部表面と計量プレートの上部表面との間の中空空間に導入する。ワイパは計量プレートの上部表面と平行に動作する。引き続いてダイを垂直上方に移動させ、粘性媒体を下から支持表面に押し付ける。それからダイを再度下方に移動させ、粘性媒体を後方に留まらせて支持表面に付着させる。
【０００４】
【発明が解決しようとする課題】
しかしこのような方法は幾つかの不利な点を有する。ダイによる粘性媒体の計量は垂直上方方向でのみ可能であり、その結果このプロセスを適用できる範囲は大幅に限定される。垂直方向に延びる支持表面又は他のコンポーネントにより仕切られた支持表面に正確な計量分量の粘性媒体を供給することは不可能である。この例として製造中の磁気テープカセット機器におけるグリース部分に対する塗布がある。
【０００５】
さらにこの方法における計量分量は媒体の瞬時粘度に左右される。これはまた周囲温度と相対湿度とに左右される。媒体の瞬時粘度に左右されると、ダイを上昇させるとき媒体の一部がダイの上部表面から流れ落ちる。同様に支持表面に付着する粘性媒体の分量は、ダイをこの表面に適用するときの媒体の粘度、従って周囲温度及び相対湿度次第で決まる。
【０００６】
上記に加えて別の不利な点は所望の計量分量に従ってダイの寸法を変更せねばならない点にある。所望する計量分量が多ければ多いほど、ダイを上昇させるときダイの上部表面から流れ落ちる粘性媒体の分量を最小にするため、ダイの上部表面積を大きくしなければならない。
【０００７】
従ってこの発明の目的は、瞬時粘度と無関係に正確な計量分量の粘性媒体を支持表面に塗布することが可能な装置を提供することにある。
【０００８】
【課題を解決するための手段】
上記目的を達成するためこの発明による装置は、上部表面及び下部表面をもち、少なくとも１個の貫通穴を備える支持プレートと、
少なくとも１個の貫通穴を備え、上部表面及び下部表面をもつ計量プレートとを有し、
計量プレートの下部表面を支持プレートの上部表面に載せ、計量プレート又は支持プレートの何れか一方を移動させることにより支持プレートと計量プレートとが相互に位置関係を変え得る構成を有し、かつ
支持プレートの各貫通穴に対し、支持プレートの穴の壁面に正確に適合させて端部で外側壁面を連結する内部中空チューブと、
支持プレートの各貫通穴に対し、計量プレート及び支持プレートそれぞれの貫通穴を通過すると共に内部中空チューブを通過するダイと、
計量プレートの上部表面と平行に動作するワイパ装置とを有し、
該装置により計量プレートの上部表面に適用した粘性媒体を計量プレートの貫通穴に導入自在として成ることを特徴とする、支持表面に対して正確に計量した分量の粘性媒体を塗布する装置である。
【０００９】
【発明の実施の形態】
最初は支持プレートと計量プレートとを互いにシフトさせることにより支持プレートの貫通穴と計量プレートの貫通穴とを互いにずらす。計量プレートの上部表面に供給した粘性媒体をワイパ装置により計量プレートの穴に導入する。計量分量は穴の直径と高さとで決まり、これらのパラメータを変えることで望みの分量に変更することができる。
【００１０】
計量プレートと支持プレートとを互いにシフトさせることにより粘性媒体を満たした計量プレートの穴を支持プレートの穴の上方に正確に位置させる。計量プレートの穴の内部直径は支持プレートの穴に存在する内部中空チューブの内部直径と一致する。
【００１１】
ダイを計量プレートの穴に、そしてチューブ端部に向けてチューブに導入する。その結果チューブから支持表面に粘性媒体を押し付ける。この発明による装置の計量精度が向上するのは明らかであり、少量計量の場合は顕著である。チューブの直径とそれに伴うダイの直径とを極めて小さく選定することができる。異なる計量分量の場合に直径を変更する必要はなく、むしろ計量プレートの穴の高さを変更することで計量分量を変えることができる。
【００１２】
小さな直径のダイを用いるため、ダイを支持表面から復帰させるときダイに粘着する粘性媒体の分量は極めて少量である。これに加え、ダイを復帰させるときチューブ端縁においてそぎ取り効果が得られる。この発明による装置で達成し得る計量精度はほぼ１ｍｍ3 のオーダである。さらにこの装置は上向きと下向きとの両方向に計量が可能である利点を有する。
【００１３】
この発明による装置の好適実施例では、チューブが可撓性構造のチューブである。
【００１４】
チューブ及びダイが可撓性構造であることにより、垂直又は斜めの支持表面に粘性媒体を供給することができる。もし例えば、製造中の機器、例えば磁気テープカセット機器における支持表面に供給しなければならないとき、この機器のどの位置に配置された支持表面にも、この発明による装置により正確に計量した分量の潤滑剤を望み通りに到達させることが可能である。
【００１５】
この発明の他の好適実施例では、計量プレートの上方に案内プレートを設け、該案内プレートは各ダイに対しダイを案内するための貫通穴を備える。この案内プレートは計量塗布プロセスの高度な自動化を容易にする補助具である。
【００１６】
この発明の他の好適実施例では、案内プレートの貫通穴にスリーブを固着し、該スリーブの内部直径は計量プレートの穴の直径と一致し、スリーブの端部は計量プレートの上部表面と正確に一致して位置する。
【００１７】
計量プレートの上部表面にスリーブを正確に適合させて、計量プレートの穴にダイを導入するとき、貫通穴に存在する粘性媒体の一部が計量プレートの上部表面上で横に流出することを阻止させる。
【００１８】
この発明のさらに他の実施例では、計量プレート及び支持プレートそれぞれの上部表面と下部表面とに対して垂直に移動自在な上部プレートにダイを取付ける。上部プレートは計量プロセスの高度な自動化を容易にする補助具である。このようにして、上部プレートを下降させるとき、案内プレート及び計量プレートそれぞれの貫通穴に、それに続くチューブに導入する幾つかのダイ、すなわち対応する位置における全てのダイを特に上部プレートに固着することができる。これにより正確に計量した分量を幾つかの支持表面に同時に供給することが可能となる。
【００１９】
この発明による装置のさらにまた別の好適実施例では、上部プレート、案内プレート、計量プレート及び支持プレートが組立てユニットを形成し、該ユニットは案内フレームの案内によりプレートの上部表面及び下部表面に対し垂直に移動自在である。
【００２０】
ダイを導入する前に組立てユニットを下降させると、チューブ端部は支持表面の直上に位置する。その後計量プレートの穴と、それに続くチューブとに上部プレートを下降させる終端位置までダイを移動させ、そして粘性媒体を支持表面に押し付け、この押し付けの間、案内プレート、計量プレート及び支持プレートを案内フレームに関する位置に留め置く。
【００２１】
引き続き組立てユニットを上昇させるが、その間ダイ及び上部プレートは初めのうち終端位置に留まる。これによりダイを支持表面から復帰させるとき一部の粘性媒体が内部中空チューブに吸い戻されることを阻止する。それから上部プレートの上昇移動によりチューブと計量プレートの穴とからダイを取り去り、その間案内プレート、計量プレート及び支持プレートは案内フレームに関する位置を保持する。
【００２２】
この発明による装置は、コンポーネントを固着するためプリント回路ボードに正確に計量した分量の接着剤を塗布すること、プリント回路ボードに正確に計量した分量のはんだペーストを塗布すること、又は磁気テープカセットの潤滑ポイントに潤滑剤を塗布することなどに好適に使用することができる。
【００２３】
【実施例】
図１に示す計量装置の一部は上部表面１ａと下部表面１ｂと板厚Ｈとをもつ計量プレート１を有する。計量プレート１には穴直径Ｄと穴壁面２ａとをもつ円形の貫通穴２が存在する。計量する粘性媒体３は穴２の横位置の計量プレート上部表面１ａに存在する。計量プレート１の下部表面１ｂは支持プレート４に載り、該支持プレートは上部表面４ａと、下部表面４ｂと、穴壁面５ａとをもつ貫通穴５を有する。内側壁面６ａ及び計量プレート１の穴２の直径Ｄに等しい内側直径Ｅを有する中空チューブ６を穴５に固着する。計量プレート１は支持プレート４に関し水平方向に移動自在である。図１に示す計量プレート１の位置は、計量プレート１の穴２と支持プレート４の穴５とが連通しない計量プレートの配置になる。
【００２４】
計量プレート１が占める位置は図１と図２とで同じである。図２ではさらに計量プレート１の上部表面１ａと平行に動作するワイパ装置７を示し、このワイパ装置により計量すべき媒体３の計量分量８を計量プレート１の穴２に導入する。導入する計量分量８は計量プレート１における穴２の直径Ｄと計量プレート１の高さＨとで決まる。計量分量８は穴２の直径Ｄ及び／又は計量プレート１の高さＨを変えることにより自在に変化させることができる。しかし穴の直径Ｄを変えるときは、それに応じて必ずチューブ６の内側直径Ｅを直径Ｄに合せなければならない。
【００２５】
図３では、計量プレート１が図１、２に示す位置から移動して、分量８の粘性媒体３を満たした計量プレート１の穴２は支持プレート４の穴５の真上に正確に位置する。計量プレート１の穴２の内側壁面２ａは穴５に固着したチューブ６の内側壁面６ａと一致する。
【００２６】
図４において、計量プレート１は図３に示す支持プレート４と同じ関係位置を占める。図４では、さらに穴壁面１０ａをもつ貫通穴１０を有する案内プレート９を計量プレートの上方に配置している。内側壁面１１ａと外側壁面１１ｂとを有する内部中空スリーブ１１を案内プレート９の穴１０に固着する。スリーブ１１の内側直径Ｆは計量プレート１の穴２の直径Ｄと、チューブ６の内側直径Ｅとに一致する。スリーブ１１をもつ案内プレート９を、スリーブ１１の内側壁面１１ａと、計量プレート１の穴２の穴壁面２ａと、チューブ６の内側壁面６ａとが一致するように配置する。
【００２７】
スリーブ１１と、穴２と、チューブ６とにダイ１２を挿入する。ダイ１２の外側直径Ｇはスリーブ１１の内側直径Ｆと、穴２の直径Ｄと、チューブ６の内側直径Ｅとに一致する。このダイ１２により、計量分量８の粘性媒体３を計量プレート１の穴２から先ずチューブ６に、次いでチューブ６から押し進めることができる。図４では、計量分量８がチューブ６内部に止まるまでダイ１２をチューブ６に導入したところである。
【００２８】
図５に計量装置の他の実施例を部分的に示し、この装置は２個の貫通穴１５、１６が存在する支持プレート１４を備える。２本の可撓性チューブ１７、１８をこれら穴１５、１６に固着し、これらチューブ内に可撓性でかつチューブ１７、１８内を移動自在な２個のダイ１９、２０が存在する。可撓性チューブ１７、１８のチューブ端１７ａ、１８ａは機器２４の支持表面２２、２３の真上に位置する。支持表面２２、２３は、例えば磁気テープカセット機器で潤滑剤を塗布すべき表面又はプリント回路ボードのはんだ付けパッドである。ダイ１９、２０により粘性媒体の計量分量２５、２６をチューブ１７、１８から支持表面２２、２３に塗布する。
【００２９】
図６に計量プロセスの自動化を可能とする計量装置の動作原理を示す。該装置は上部プレート３０と、案内プレート３１と、計量プレート３２と、そして支持プレート３３とを備える。３個のダイ３４、３５、３６を上部プレート３０に固着する。これらのダイ３４、３５、３６によりチューブ３７、３８、３９から機器４３の支持表面４０、４１、４２に粘性媒体の計量分量（図示省略）を押し付けることができる。
【００３０】
チューブ３７、３８、３９は支持プレート３３の貫通穴（図示せず）に存在する。まず上部プレート３０と、案内プレート３１と、計量プレート３２と、そして支持プレート３３とを相互に機械的にロックする。それからこれら４個のプレート３０、３１、３１、３３を、チューブ３７、３８、３９が支持表面４０、４１、４２の直上にくる位置まで一緒に下方に移動させる。この位置を図６に示す。
【００３１】
その後上部プレート３０のロックを解放し、このプレートのみを下方に移動させ、その間案内プレート３１と、計量プレート３２と、支持プレート３３とは元の位置を保持する。その結果、ダイ３４、３５、３６はチューブ３７、３８、３９内部を移動し、所望する計量分量の粘性媒体をチューブ３７、３８、３９から支持表面４０、４１、４２に押し付ける。そこで上部プレート３０を他の３個のプレート３１、３２、３３に再度ロックし、４個のプレート３０、３１、３２、３３を一緒に上方に移動させる。
【００３２】
チューブ３７、３８、３９を支持表面４０、４１、４２から退避させ、ダイ３４、３５、３６はチューブ３７、３８、３９に関する位置を保持する。その後上部プレート３０のロックを解除し、このプレートのみを上昇させ、その間案内プレート３１と、計量プレート３２と、支持プレート３３とはそれらの位置を保持する。これによりダイ３４、３５、３６はチューブ３７、３８、３９から引き抜かれる。この手順により支持表面４０、４１、４２からチューブ３７、３８、３９への粘性媒体吸い戻しが阻止される。もしチューブ３７、３８、３９が支持表面４０、４１、４２の上方に静止している間にダイ３４、３５、３６を上昇させれば吸い戻しが発生する。
【図面の簡単な説明】
【図１】図１は、この発明による装置の一実施例における、水平方向に移動自在で貫通穴を有する計量プレート及び貫通穴を有し計量プレートの下部表面を載せる支持プレートの一部と、計量プレートの上部表面にある粘性媒体との断面図であり、両プレートの穴が非連通状態にあることを示す図である。
【図２】図２は、図１に示す装置の一部断面と計量プレートの穴に粘性媒体の一部を導入するワイパ装置とを合せ示す図である。
【図３】図３は、図１、２に示す一部装置につき粘性媒体を満たす計量プレートの穴を支持プレートの穴の上に正確に位置させるように計量プレートをシフトさせた断面図である。
【図４】図４は、図１〜３に示す装置の一部断面と計量プレートの上方に配置した案内プレートの断面とを合せ示す図であり、案内プレートの貫通穴及び該穴に固着したスリーブが計量プレートの貫通穴の上に正確に位置しているさまを示す図である。
【図５】図５は、２本の可撓性チューブを有する他の実施例における装置の一部断面図であり、一例としての磁気テープカセット機器の互いに離れた支持表面に計量すべき媒体をチューブにより同時に塗布するさまを示す図である。
【図６】図６は、この発明による装置の機能説明図であり、この装置における上部プレート、案内プレート、計量プレート及び支持プレートが一緒に昇降自在な組立てユニットを形成しているさまと、計量装置が備える３本のチューブにより互いに離れた３か所の支持表面に同時に計量すべき媒体を塗布しているさまとを示す図である。
【符号の説明】
１、３２  計量プレート
１ａ  上部表面
１ｂ  下部表面
２  貫通穴
２ａ  穴壁面
３  粘性媒体
４、１４、３３  支持プレート
４ａ  上部表面
４ｂ  下部表面
５、１５、１６  貫通穴
５ａ  穴壁面
６、３７、３８、３９  中空チューブ
７  ワイパ装置
８、２５、２６  計量分量
９、３１  案内プレート
１０  貫通穴
１１  中空スリーブ
１１ａ  内側壁面
１１ｂ  外側壁面
１２、１９、２０、３４、３５、３６  ダイ
１７、１８  可撓性チューブ
１７ａ、１８ａ  チューブ端
２２、２３、４０、４１、４２  支持表面
２４、４３  機器
３０  上部プレート
【図１】
0003762477.tif 000002
【図２】
0003762477.tif 000003
【図３】
0003762477.tif 000004
【図４】
0003762477.tif 000005
【図５】
0003762477.tif 000006
【図６】
0003762477.tif 000007